(57)【特許請求の範囲】
【請求項１】
室内機で熱交換を受ける空気に含まれる塵を集塵するための電気集塵フィルタ部を備える空気調和機において、
前記電気集塵フィルタ部は、
前記室内機本体に取り付けられたフィルタ保持枠と、
前記フィルタ保持枠に装着されるフィルタ本体とを備え、
前記フィルタ本体は、
高電圧が印加される放電極と、
前記放電極を挟むように配置される対向電極と、
前記放電極と前記対向電極との間を通過して荷電された塵を捕獲するために電極間に高電圧が印加される集塵用電極と、
前記放電極と前記対向電極と前記集塵用電極とを収納するとともに前記フィルタ保持枠に取り付けられる絶縁材からなるフィルタ枠体と、
を有し、
前記フィルタ枠体は、
前記放電極または前記集塵用電極に印加される高電圧を測定するための電圧測定端子を挿入可能な測定端子挿入孔と、
前記測定端子挿入孔から挿入される前記測定端子に接触可能であり前記放電極または前記集塵用電極に導通する測定電極と
を有し、
前記放電極と前記集塵用電極とは電気的に互いに独立に高電圧が印加されており、
前記測定端子挿入孔は、
前記放電極に印加される高電圧を測定するための第１測定端子挿入孔と、
前記集塵用電極に印加される高電圧を測定するための第２測定端子挿入孔と、
からなり、
前記測定電極は、
前記第１測定端子挿入孔から挿入される前記測定端子に接触可能であり前記放電極に導通する第１測定電極と、
前記第２測定端子挿入孔から挿入される前記測定端子に接触可能であり前記集塵用電極に導通する第２測定電極と、
からなる
ことを特徴とする空気調和機。
【請求項２】
前記フィルタ枠体は、
接地電位を取るための接地側端子を挿入可能な接地側端子挿入孔と、
前記接地側端子挿入孔から挿入される前記接地側端子に接触可能であり接地電位にある接地側測定電極と、
を有する
ことを特徴とすることを特徴とする請求項１に記載の空気調和機。
【請求項３】
前記フィルタ枠体には、集塵される空気が通過するための開口部が形成されており、
前記開口部は、そこから前記放電極または前記集塵用電極に対する接地電位を取るための接地側端子を挿入可能に形成されているとともに、前記対向電極は、前記開口部を通して挿入される前記接地側端子が接触可能な位置に配置されていることを特徴とする請求項１に記載の空気調和機。
【請求項４】
前記測定電極は、前記放電極または前記集塵用電極に高電圧を印加する入力端子側から離れた終端子近傍に位置することを特徴とする請求項１に記載の空気調和機。
【発明の詳細な説明】
【０００１】
【発明の属する技術分野】
本願発明は、空気調和機に係り、特に室内機で熱交換を受ける空気に含まれる塵を集塵するための電気集塵フィルタ部を備える空気調和機に関する。
【０００２】
【従来の技術】
一般に、室内機で熱交換を受ける空気に含まれる塵を集塵するための電気集塵機を備える空気調和機が知られている。
【０００３】
電気集塵機では、荷電部に高電圧が印加され、これにより空気中の塵埃がイオン化され、集塵部で集積される。集塵部では、高電圧が印加されてイオン化された塵埃が電気的に集塵される。
【０００４】
この場合、荷電部に加える高電圧と集塵部に加える高電圧とが同一のものも異なるものもある。いずれの形態においても、電気集塵機における動作確認や点検等において、高電圧を印加する高電圧端子における電圧状態を確認する必要がある。
【０００５】
【発明が解決しようとする課題】
しかしながら、一般家庭に使用される空気調和機では、電気集塵機に使用される高電圧に使用者が触れて感電することがないように、電気集塵機を構成する電極や各種電気端子や電機部品は、合成樹脂等で構成されるケーシング内に収納されている。
【０００６】
そのために、従来は外部から高電圧端子に容易には触れることができず、電気集塵機を通電状態で高電圧端子における電圧状態を確認することが非常に困難であるという問題があった。
【０００７】
そこで、本発明の目的は、上記従来技術の有する問題を解消し、高電圧の電圧状態を容易に検査可能でメインテナンスの容易な電気集塵フィルタ部を備えた空気調和機を提供することである。
【０００８】
【課題を解決するための手段】
上記目的を達成するために、本願の第１の発明に係る空気調和機は、室内機で熱交換を受ける空気に含まれる塵を集塵するための電気集塵フィルタ部を備える空気調和機において、前記電気集塵フィルタ部は、前記室内機本体に取り付けられたフィルタ保持枠と、前記フィルタ保持枠に装着されるフィルタ本体とを備え、
前記フィルタ本体は、高電圧が印加される放電極と、前記放電極を挟むように配置される対向電極と、前記放電極と前記対向電極との間を通過して荷電された塵を捕獲するために電極間に高電圧が印加される集塵用電極と、前記放電極と前記対向電極と前記集塵用電極とを収納するとともに前記フィルタ保持枠に取り付けられる絶縁材からなるフィルタ枠体とを有し、前記フィルタ枠体は、前記放電極または前記集塵用電極に印加される高電圧を測定するための電圧測定端子を挿入可能な測定端子挿入孔と、前記測定端子挿入孔から挿入される前記測定端子に接触可能であり前記放電極または前記集塵用電極に導通する測定電極とを有し、前記放電極と前記集塵用電極とは電気的に互いに独立に高電圧が印加されており、前記測定端子挿入孔は、前記放電極に印加される高電圧を測定するための第１測定端子挿入孔と、前記集塵用電極に印加される高電圧を測定するための第２測定端子挿入孔と、からなり、前記測定電極は、前記第１測定端子挿入孔から挿入される前記測定端子に接触可能であり前記放電極に導通する第１測定電極と、前記第２測定端子挿入孔から挿入される前記測定端子に接触可能であり前記集塵用電極に導通する第２測定電極と、からなることを特徴とする。
【０００９】
本願の第２の発明に係る空気調和機は、第１の発明において、前記フィルタ枠体は、接地電位を取るための接地側端子を挿入可能な接地側端子挿入孔と、前記接地側端子挿入孔から挿入される前記接地側端子に接触可能であり接地電位にある接地側測定電極と、を有する。
【００１０】
本願の第３の発明に係る空気調和機は、第１の発明において、前記フィルタ枠体には、集塵される空気が通過するための開口部が形成されており、前記開口部は、そこから前記放電極または前記集塵用電極に対する接地電位を取るための接地側端子を挿入可能に形成されているとともに、前記対向電極は、前記開口部を通して挿入される前記接地側端子が接触可能な位置に配置されている。
【００１１】
本願の第４の発明に係る空気調和機は、第１の発明において、前記測定電極は、前記放電極または前記集塵用電極に高電圧を印加する入力端子側から離れた終端子近傍に位置する。
【００１２】
上述の発明において、放電極または集塵用電極に印加される高電圧を測定するための電圧測定端子を測定端子挿入孔から挿入し、測定端子を放電極または集塵用電極に接触できるので、電気集塵フィルタ部の高電圧の電圧状態を容易に検査しメインテナンスを容易に行うことができる。
【００１３】
【発明の実施の形態】
以下に図面を参照して本願発明の好適な実施の形態について説明する。
【００１４】
図１０は、室内機本体１の前面側１ａにある吸込グリル２を開け、プレフィルタ３を外し、さらに室内機本体１に取り付けられたフィルタ保持枠５からフィルタ本体部７を取り外した状態を示す。なお、脱臭フィルタ９はフィルタ保持枠５の側方に配置されるものである。
【００１５】
図９は、室内機本体１に装着された状態の電気集塵フィルタ部１０を示す。電気集塵フィルタ部１０は、室内機本体１に取り付けられたフィルタ保持枠５とフィルタ保持枠５に取り外し自在に装着されるフィルタ本体７とを備えている。
【００１６】
図１は室内機本体１に取り付けられた状態のフィルタ保持枠５を示す。フィルタ保持枠５は端部固定部１５を介して室内機本体１及び室内熱交換器の前面側端板にねじ止めして取り付けられている。フィルタ保持枠５の右側部には、後述する荷電用電極と集塵用電極に高電圧を印加するための高圧電源５５が配設されている。高圧電源５５は、電気的に独立して高電圧を供給可能で原則的に異なる高電圧を供給する第１電源５５ａと第２電源５５ｂを備えている（図８参照）。
【００１７】
フィルタ保持枠５における高圧電源５５の近傍には高圧電位にある導電性の板バネ７１と板バネ７３が設けられており、フィルタ保持枠５の中央部にはグランド電位にある導電性の板バネ７２が設けられている。板バネ７１、７３は各々第１電源５５ａと第２電源５５ｂに電気的に接続されている。また、板バネ７１、７３と板バネ７２は紙面の背面方向へ向かって押す力を跳ね返すように作用し、板バネ７１、７３は各々後述する第１高電圧端子３５、第２高圧端子３６（図２参照）とに接続され、板バネ７２は高圧電源５５のグランド電位に導通するグランド端子３９（図２参照）と接続されている。
【００１８】
図２はフィルタ本体７を示す正面図である。フィルタ本体７は、フィルタ保持枠５に取り外し自在に装着できるように形成されている。
【００１９】
フィルタ本体７は、塵を荷電させる荷電用電極と荷電された塵を捕獲する集塵用電極とから構成される電極部と、電極部が取り付けられるフィルタ枠体６０（図６参照）とを備えている。
【００２０】
図６（ａ）はフィルタ枠体６０を示す平面図であり、図６（ｂ）はその側面図である。フィルタ枠体６０はフィルタ保持枠５に取り外し自在に装着できるように形成されており、これによって、フィルタ本体７はフィルタ保持枠５に取り外し自在に装着される。
【００２１】
次に、図７及び図８を参照して、フィルタ枠体６０に取り付けられる電極部の構成と作用について概略的に説明する。
【００２２】
図８において、電極部は、塵５０を荷電させる荷電用電極と荷電された塵５０ａを捕獲する集塵用電極を備えている。荷電用電極は、塵５０を荷電するための線状の放電極５１と、放電極５１を挟むように配置された板状の対向電極５２から構成されている。集塵用電極は、荷電された塵５０ａを捕獲する捕獲電極５３と、荷電された塵５０ａを捕獲電極５３に向かわせるように作用する反捕獲電極５４から構成されている。放電極５１は、高圧電源５５の第１電源５５ａによって高電圧が印加され、反捕獲電極５４は、高圧電源５５の第２電源５５ｂによって高電圧が印加され、放電極５１と反捕獲電極５４とは電気的に独立に高電圧が印加されている。対向電極５２と捕獲電極５３は、グランドの電位に設定されている。
【００２３】
図示しないファンによって室内機本体１内へ吸引された空気中の塵５０は放電極５１と対向電極５２との間を通過する間に正に荷電されて塵５０ａとなり、塵５０ａはさらに捕獲電極５３と反捕獲電極５４の間を通る間に高圧電位にある反捕獲電極５４による電気的反発を受け塵５０として捕獲電極５３に捕獲される。
なお、図８では、電極構成が模式的に示されており、捕獲電極５３と反捕獲電極５４は対向電極５２に対し平行に配設されているように示されているが、実際は図７に示すように、捕獲電極５３と反捕獲電極５４は対向電極５２に対し垂直に配設されており、また、対向電極５２と捕獲電極５３とは一体的に形成されている。
【００２４】
図５は、図２におけるＡ−Ｂ−Ｃ−Ｄにおける断面図である。図２におけるＡ−Ｂの断面部分は、捕獲電極５３と反捕獲電極５４との隙間（図７参照）から反捕獲電極５４を見たものであり、図２におけるＣ−Ｄの断面部分は、捕獲電極５３と反捕獲電極５４との隙間（図７参照）から捕獲電極５３を見たものである。
【００２５】
次に、図２等を参照して、さらに詳細にフィルタ本体７の構成について説明する。
【００２６】
図２に示すように、フィルタ枠体６０には、フィルタ保持枠５に設けられた板バネ７１を介して第１電源５５ａから高電圧が印加される第１高電圧端子３５と、フィルタ保持枠５に設けられた板バネ７３を介して第２電源５５ｂから高電圧が印加される第２高電圧端子３６とが設けられている。
【００２７】
第１高電圧端子３５の上部には放電極５１が接続されている。第１高電圧端子３５の下部にはその一部として、放電極５１に適正に高電圧が印加されているか否かを検査するための第１測定電極３５ａが設けられている。第１測定電極３５ａの前方位置においてフィルタ枠体６０には、テスタ等の測定端子が挿入され第１測定電極３５ａに接触可能であるように第１測定端子挿入孔３１が形成されている。フィルタ本体７がフィルタ保持枠５に装着された状態のまま高電圧の測定検査できるように、第１測定端子挿入孔３１は、図２に示すようにフィルタ枠体６０の表面から測定端子を挿入できるように形成されている。
【００２８】
第２高電圧端子３６は、フィルタ枠体６０の上部周辺から左側周辺を経て下部周辺へ至るようにコの字状に設けられている。第２高電圧端子３６はその上部と下部とで、反捕獲電極５４に電気的に接続されている。第２高電圧端子３６は、その上部の一端部で板バネ７３と電気的に接触し、第２電源５５ｂから高電圧が印加される。
【００２９】
第２高電圧端子３６の一部としてその下部の他端部には、反捕獲電極５４に適正に高電圧が印加されているか否かを検査するための第２測定電極３６ａが設けられている。第２測定電極３６ａの下方位置においてフィルタ枠体６０には、測定端子が挿入され第２測定電極３６ａに接触可能であるように第２測定端子挿入孔３２が形成されている。第１測定端子挿入孔３１と同様にフィルタ本体７がフィルタ保持枠５に装着された状態のまま測定検査できるように、第２測定端子挿入孔３２は、図２または図３に示すようにフィルタ枠体６０の下側表面から測定端子を挿入できるように形成されている。
【００３０】
第２測定端子挿入孔３２は、第２高電圧端子３６の下部の端部に位置し板バネ７３と接触する第２高電圧端子３６の部分から最も離れて位置する。これによって、第２測定端子挿入孔３２から測定端子を挿入することにより、いわゆる最も下流側で電気的な接触を検査できることになり、最も下流側に位置する第２測定電極３６ａに至るまでの高圧印加電気回路全体の導通状態を検査することができる。なお、上述の第１測定上述の端子挿入孔３１は、高圧電気回路の最も下流側にはないが、下流側に配置することも可能である。
【００３１】
フィルタ枠体６０の中央部裏側には、高圧電源５５のグランドに導通する板バネ７２と接触可能なグランド端子３９が設けられている。互いに一体的に形成された対向電極５２及び捕獲電極５３は、グランド端子３９に電気的に接続されている。
【００３２】
図２に示すように、第１測定端子挿入孔３１と第２測定端子挿入孔３２の近傍のフィルタ枠体６０には、接地電位を取るための接地側端子挿入孔３３が形成されている。接地側端子挿入孔３３の下方には、対向電極５２が延長された部分があり、この部分に接地側端子挿入孔３３から挿入される接地側端子が接触できるようになっている。
【００３３】
また、図２に示すように、放電極５１は、第１高電圧端子３５に接続された一端に始まり左右に蛇行するようにフィルタ枠体６０に取り付けられ、フィルタ枠体６０の左側部にあるスプリング８０を介して終端している。フィルタ枠体６０には左右に複数の邪魔板８１が形成されている。放電極５１は邪魔板８１の背後に位置するように配設されており、室内機本体１の前面側１ａにある吸込グリル２を開けてプレフィルタ３をはずしても作業者の手が誤って接触してしまう危険がないようになっている。邪魔板８１と邪魔板８１の間には、集塵される空気が通過するための開口部８２が形成されている。
【００３４】
また、挿入孔３３を設ける替わりに開口部８２の寸法をテスターの接地側端子を挿入可能な大きさ以上に形成し、この開口部８２を通して挿入される接地側端子が、対向電極５２に接触可能な位置に対向電極５２を配置してもよい。
【００３５】
このように構成すれば、接地側端子挿入孔３３を設ける必要はない。但し、
この開口部８２近傍には放電極５１があり、接地側端子とこの放電極５１間での放電や短絡を引き起こす可能性がある。これに対し、接地側端子挿入孔３３を設けた場合、測定端子は対向電極５２以外に触れるおそれはなく、安全性に優れる。
【００３６】
以上、説明したように、本発明の実施の形態によれば、次のような効果を奏することができる。
【００３７】
フィルタ枠体６０は第１測定端子挿入孔３１と第１測定電極３５ａを備えるとともに、接地側端子挿入孔３３または開口部８２を備えているので、第１測定端子挿入孔３１から高電圧を測定するための電圧測定端子を挿入し接地電位をとるとともに第１測定電極３５ａに接触できるので、放電極５１の電圧状態を容易に検査することができる。
【００３８】
また、フィルタ枠体６０は第２測定端子挿入孔３２と第２測定電極３６ａを備えるとともに、接地側端子挿入孔３３または開口部８２を備えているので、第２測定端子挿入孔３２から高電圧を測定するための電圧測定端子を挿入し接地電位をとるとともに第２測定電極３６ａに接触できるので、反捕獲電極５４の電圧状態を容易に検査することができる。
【００３９】
この結果、放電極５１や反捕獲電極５４の高電圧電圧状態の良否を容易に検査することができ、電気集塵フィルタ部１０のメインテナンスを安全に容易に行うことができる。
【００４０】
なお、以上に説明において、放電極５１と反捕獲電極５４とには、各々電気的に独立に高電圧が印加されるとしたが、同じ電圧を電気的に導通させて印加することも可能である。この場合、第１測定端子挿入孔３１と第２測定端子挿入孔３２のいずれか一方のみを、また、第１測定電極３５ａと第２測定電極３６ａのいずれか一方のみを設けることも可能である。
【００４１】
さらに、本実施例においては、集塵用電極の捕獲電極５３と荷電用電極の対向電極５２とを一体で構成しているが、これらの電極はそれぞれ別体にして設けてもよい。この場合、捕獲電極５３と対向電極５２それぞれをグランドに接続することになる。
【００４２】
【発明の効果】
以上説明したように、本発明の構成によれば、フィルタ枠体は、放電極または集塵用電極に印加される高電圧を測定するための電圧測定端子を挿入可能な測定端子挿入孔と、測定端子挿入孔から挿入される測定端子に接触可能であり放電極または前記集塵用電極に導通する測定電極とを有するので、電気集塵フィルタ部の高電圧の電圧状態を容易に検査可能でメインテナンスの容易な空気調和機を提供することができる。
【図面の簡単な説明】
【図１】本願発明の空気調和機の室内機本体に配設されたフィルタ保持枠を示す平面図。
【図２】本願発明の空気調和機のフィルタ保持枠に装着されるフィルタ本体を示す平面図。
【図３】図２に示すフィルタ本体の下部平面図。
【図４】図２に示すフィルタ本体の側面図。
【図５】図２におけるＡ−Ｂ−Ｃ−Ｄにおける断面図。
【図６】フィルタ枠体を示す平面図（ａ）と側面図（ｂ）。
【図７】放電極と対向電極と捕獲電極と反捕獲電極との配置関係を示す斜視図。
【図８】放電極と対向電極と捕獲電極と反捕獲電極の概略構成とそれらの作用を説明する図。
【図９】本願発明の空気調和機の室内機本体に配設された電気集塵フィルタ部を示す平面図。
【図１０】室内機本体の前面側にある吸込グリルを開け、プレフィルタを外し、さらに室内機本体に取り付けられたフィルタ保持枠からフィルタ本体と脱臭フィルタを取り外した状態を示す斜視図。
【符号の説明】
１  室内機本体
５  フィルタ保持枠
７  フィルタ本体
１０  電気集塵フィルタ部
３１  第１測定端子挿入孔
３２  第２測定端子挿入孔
３３  接地側端子挿入孔
３５  第１高電圧端子
３５ａ  第１測定電極
３６  第２高電圧端子
３６ａ  第２測定電極
５０  塵
５０ａ  荷電した塵
５１  放電極
５２  対向電極
５３  捕獲電極
５４  反捕獲電極
５５  高圧電源
５５ａ  第１電源
５５ｂ  第２電源
６０  フィルタ枠体
７１  板バネ
７２  板バネ
７３  板バネ
８１  邪魔板
８３  開口部
【図１】
0003854391.tif 000002
【図２】
0003854391.tif 000003
【図３】
0003854391.tif 000004
【図４】
0003854391.tif 000005
【図５】
0003854391.tif 000006
【図６】
0003854391.tif 000007
【図７】
0003854391.tif 000008
【図８】
0003854391.tif 000009
【図９】
0003854391.tif 000010
【図１０】
0003854391.tif 000011